【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
テレビ放送視聴機能を備える通信端末であって、
テレビ番組の番組情報にかかるキーワードを格納するキーワード記憶制御手段と、
前記テレビ放送視聴機能で視聴されるテレビ番組の番組情報を取得する番組情報取得手段と、
前記番組情報取得手段が取得した番組情報に前記キーワード記憶制御手段によって格納されたキーワードが含まれているか否かを判別する番組判別手段と、
前記番組情報に前記キーワードが含まれている場合、当該テレビ番組の視聴中に割込動作を禁止する視聴優先モードを選択して実行するモード選択手段と、
を備えることを特徴とする通信端末。
【請求項２】
前記視聴優先モードの実行中に、前記通信端末への音声通話の着信が発生した場合、留守番電話機能を実行する着信処理手段と、
前記留守番電話機能で録音された伝言メッセージを示す文字情報を、前記視聴優先モードで視聴中のテレビ番組画面とともに表示するメッセージ表示手段と、
をさらに備えることを特徴とする請求項１に記載の通信端末。
【請求項３】
前記着信処理手段は、通信網を介して接続されたサービス提供装置に、留守番電話サービスの実行を要求し、
前記メッセージ表示手段は、前記サービス提供装置から送信される前記文字情報を、前記通信網を介して受信して表示する、
ことを特徴とする請求項２に記載の通信端末。
【請求項４】
前記着信処理手段は、前記着信にかかる発呼者の発話音声を文字情報に変換し、
前記メッセージ表示手段は、前記着信処理手段によって変換された文字情報を表示する、
ことを特徴とする請求項２または３に記載の通信端末。
【請求項５】
前記モード選択手段は、前記通信端末でテレビ番組を視聴しているユーザからの指示に基づいて、当該テレビ番組に対する視聴優先モードの設定あるいは解除をおこない、
前記キーワード記憶制御手段は、前記モード選択手段が視聴優先モードを選択した場合、前記番組情報取得手段が取得した当該テレビ番組の番組情報からキーワードを取得して格納する、
ことを特徴とする請求項１乃至４のいずれか１項に記載の通信端末。
【請求項６】
前記キーワード記憶制御手段は、前記モード選択手段が視聴優先モードの解除をおこなった場合、前記番組情報取得手段が取得した当該テレビ番組の番組情報からキーワードを取得して、格納されているキーワードから当該キーワードを削除する、
ことを特徴とする請求項５に記載の通信端末。
【請求項７】
通信網に接続され、該通信網を利用する通信端末にサービスを提供するサービス提供装置であって、
テレビ放送の視聴を優先する視聴優先モードが実行されている通信端末からの要求に応じて、当該通信端末への音声通話の発呼者に対し、留守番電話サービスを提供するサービス提供手段と、
前記サービス提供手段が提供した留守番電話サービスによって録音された伝言メッセージを文字情報に変換する変換手段と、
前記変換手段によって変換された文字情報を、前記通信網を介して、前記サービスを要求した通信端末に送信する送信手段と、
を備えることを特徴とするサービス提供装置。
【請求項８】
テレビ放送視聴機能を有する通信端末を制御するコンピュータに、
テレビ番組を特定するためのキーワードを記憶装置に格納する機能と、
視聴されるテレビ番組の番組情報を取得する機能と、
前記番組情報に前記キーワードが含まれる場合、当該テレビ番組の視聴中における割込動作を禁止する視聴優先モードを選択して実行する機能と、
を実現させることを特徴とするプログラム。
【手続補正２】
【補正対象書類名】明細書
【補正対象項目名】発明の名称
【補正方法】変更
【補正の内容】
【発明の名称】通信端末、サービス提供装置、および、プログラム
【手続補正３】
【補正対象書類名】明細書
【補正対象項目名】０００１
【補正方法】変更
【補正の内容】
【０００１】
本発明は、通信端末、サービス提供装置、および、プログラムに関し、特に、テレビ放送視聴機能利用時の利便性向上に好適な通信端末、サービス提供装置、および、プログラムに関する。
【手続補正４】
【補正対象書類名】明細書
【補正対象項目名】０００５
【補正方法】変更
【補正の内容】
【０００５】
本発明は、上記実状に鑑みてなされたものであり、所望するテレビ番組視聴中の効果的な割込制御を容易に実現することができる通信端末等を提供することを目的とする。
【手続補正５】
【補正対象書類名】明細書
【補正対象項目名】０００６
【補正方法】変更
【補正の内容】
【０００６】
上記目的を達成するため、本発明の第１の観点にかかる通信端末は、
テレビ放送視聴機能を備える通信端末であって、
テレビ番組の番組情報にかかるキーワードを格納するキーワード記憶制御手段と、
前記テレビ放送視聴機能で視聴されるテレビ番組の番組情報を取得する番組情報取得手段と、
前記番組情報取得手段が取得した番組情報に前記キーワード記憶制御手段によって格納されたキーワードが含まれているか否かを判別する番組判別手段と、
前記番組情報に前記キーワードが含まれている場合、当該テレビ番組の視聴中に割込動作を禁止する視聴優先モードを選択して実行するモード選択手段と、
を備えることを特徴とする。
【手続補正６】
【補正対象書類名】明細書
【補正対象項目名】０００８
【補正方法】変更
【補正の内容】
【０００８】
上記通信端末において、
前記視聴優先モードの実行中に、前記通信端末への音声通話の着信が発生した場合、留守番電話機能を実行する着信処理手段と、
前記留守番電話機能で録音された伝言メッセージを示す文字情報を、前記視聴優先モードで視聴中のテレビ番組画面とともに表示するメッセージ表示手段と、
をさらに備えることを特徴とする。
【手続補正７】
【補正対象書類名】明細書
【補正対象項目名】００１０
【補正方法】変更
【補正の内容】
【００１０】
上記通信端末において、
前記着信処理手段は、通信網を介して接続されたサービス提供装置に、留守番電話サービスの実行を要求し、
前記メッセージ表示手段は、前記サービス提供装置から送信される前記文字情報を、前記通信網を介して受信して表示することができる。
【手続補正８】
【補正対象書類名】明細書
【補正対象項目名】００１２
【補正方法】変更
【補正の内容】
【００１２】
上記通信端末において、
前記着信処理手段は、前記着信にかかる発呼者の発話音声を文字情報に変換してもよく、この場合、
前記メッセージ表示手段は、前記着信処理手段によって変換された文字情報を表示することができる。
【手続補正９】
【補正対象書類名】明細書
【補正対象項目名】００１３
【補正方法】変更
【補正の内容】
【００１３】
このような構成によれば、通信端末に留守番電話機能がある場合は、通信端末において伝言メッセージを録音するとともに、文字情報に変換して表示することができる。
【手続補正１０】
【補正対象書類名】明細書
【補正対象項目名】００１４
【補正方法】変更
【補正の内容】
【００１４】
上記通信端末において、
前記モード選択手段は、前記通信端末でテレビ番組を視聴しているユーザからの指示に基づいて、当該テレビ番組に対する視聴優先モードの設定あるいは解除をおこなってもよく、この場合、
前記キーワード記憶制御手段は、前記モード選択手段が視聴優先モードを選択した場合、前記番組情報取得手段が取得した当該テレビ番組の番組情報からキーワードを取得して格納することができる。
【手続補正１１】
【補正対象書類名】明細書
【補正対象項目名】００１５
【補正方法】変更
【補正の内容】
【００１５】
このような構成によれば、通信端末でテレビ番組の視聴中に、視聴優先モードの設定もしくは解除をおこなうことができる。そして、設定をおこなう場合は、視聴中のテレビ番組についての番組情報から自動的にキーワードを登録することができるので、例えば、連続ドラマなどといった同一の番組名で複数回放送されるような番組についても、１度の操作で毎回視聴優先モードとすることができる。
【手続補正１２】
【補正対象書類名】明細書
【補正対象項目名】００１６
【補正方法】変更
【補正の内容】
【００１６】
上記通信端末において、
前記キーワード記憶制御手段は、前記モード選択手段が視聴優先モードの解除をおこなった場合、前記番組情報取得手段が取得した当該テレビ番組の番組情報からキーワードを取得して、格納されているキーワードから当該キーワードを削除することができる。
【手続補正１３】
【補正対象書類名】明細書
【補正対象項目名】００１７
【補正方法】変更
【補正の内容】
【００１７】
このような構成によれば、通信端末でテレビ番組の視聴中に、視聴優先モードの解除をおこなう場合は、視聴中のテレビ番組についての番組情報から自動的にキーワードを取得し、そのキーワードを格納されているキーワードの中から削除することができるので、例えば、連続ドラマなどといった同一の番組名で複数回放送されるような番組についても、１度の操作で視聴優先モードを解除することができる。
【手続補正１４】
【補正対象書類名】明細書
【補正対象項目名】００１８
【補正方法】変更
【補正の内容】
【００１８】
上記目的を達成するため、本発明の第２の観点にかかるサービス提供装置は、
通信網に接続され、該通信網を利用する通信端末にサービスを提供するサービス提供装置であって、
テレビ放送の視聴を優先する視聴優先モードが実行されている通信端末からの要求に応じて、当該通信端末への音声通話の発呼者に対し、留守番電話サービスを提供するサービス提供手段と、
前記サービス提供手段が提供した留守番電話サービスによって録音された伝言メッセージを文字情報に変換する変換手段と、
前記変換手段によって変換された文字情報を、前記通信網を介して、前記サービスを要求した通信端末に送信する送信手段と、
を備えることを特徴とする。
【手続補正１５】
【補正対象書類名】明細書
【補正対象項目名】００１９
【補正方法】変更
【補正の内容】
【００１９】
このような構成によれば、テレビ放送の視聴を優先する視聴優先モードが実行されている通信端末に対する音声通話がある場合に、留守番電話サービスを提供する。この場合において、発呼者の発話に基づく伝言メッセージを文字情報に変換して通信端末に送信するので、テレビ番組を視聴している通信端末で表示させることができる。これにより、視聴を中断させることなく、着信があった旨や伝言メッセージを通信端末のユーザに通知することができる。
【手続補正１６】
【補正対象書類名】明細書
【補正対象項目名】００２０
【補正方法】変更
【補正の内容】
【００２０】
上記目的を達成するため、本発明の第３の観点にかかるプログラムは、
テレビ放送視聴機能を有する通信端末を制御するコンピュータに、
テレビ番組を特定するためのキーワードを記憶装置に格納する機能と、
視聴されるテレビ番組の番組情報を取得する機能と、
前記番組情報に前記キーワードが含まれる場合、当該テレビ番組の視聴中における割込動作を禁止する視聴優先モードを選択して実行する機能と、
を実現させることを特徴とする。
【手続補正１７】
【補正対象書類名】明細書
【補正対象項目名】００２１
【補正方法】変更
【補正の内容】
【００２１】
このようなプログラムを適用することで、例えば、既存の通信端末などを本発明にかかる通信端末として機能させることができる。
【手続補正１８】
【補正対象書類名】明細書
【補正対象項目名】００２２
【補正方法】変更
【補正の内容】
【００２２】
本発明によれば、キーワードに基づいてテレビ番組視聴中の割込制御をおこなうので、効果的な割込制御を容易に実現することができ、利便性が向上する。